(57)【要約】【解決手段】  本発明は、拡張器用の分配器と、取り付け装置と、外部組織に拡張を提供するため鼻拡張器を分配し取り付けるための方法と、に関する。本装置は、細長い拡張器（１０）を始めとして、様々な種類及びサイズの拡張器で使用することができる。本発明の目的は、ユーザーが拡張器（１０）に容易にアクセスし、適合することができるようにコンパクトでポータブル式の拡張器用の分配器（５５）を提供することを含んでいる。その目的には、拡張器（１０）を使用前に損傷から物理的に保護する拡張器用の分配器（５５）を提供することも含まれる。
2005515123.tif 000002
【特許請求の範囲】
【請求項１】
鼻拡張器のための分配器であって、
パッケージと、
前記パッケージ内に備えられ、接続された複数の鼻拡張器と、
前記複数の鼻拡張器が他の鼻拡張器から分離される前に通過するところの、前記パッケージに形成されたアパーチャと、
を備える、分配器。
【請求項２】
前記接続された複数の鼻拡張器は、前記パッケージ内に巻物の形態で提供される、請求項１に記載の分配器。
【請求項３】
前記複数の鼻拡張器は、前記パッケージ内に回転可能に支持された第１の巻物に提供される、請求項２に記載の分配器。
【請求項４】
前記複数の鼻拡張器を接続するための可撓性テープを更に備える、請求項１に記載の分配器。
【請求項５】
前記複数の鼻拡張器の各々は、前記テープの表面に接着固定されている、請求項４に記載の分配器。
【請求項６】
第２の巻物を更に備える、請求項３に記載の分配器。
【請求項７】
前記第１の巻物及び前記第２の巻物の間に接続された可撓性テープを更に備え、該テープには前記複数の鼻拡張器が取り付けられている、請求項６に記載の分配器。
【請求項８】
前記第２の巻物は、ハンドル又は指ハンドルのうち１つ又はそれ以上を用いて、ユーザーにより回転するように構成される、請求項７に記載の分配器。
【請求項９】
前記第２の巻物の回転は、前記第１の巻物から前記第２の巻物へ拡張器を前進させる、請求項７に記載の分配器。
【請求項１０】
前記パッケージは、意図したユーザーの鼻表面に関連してサイズが定められた切り抜き部分を備える、請求項１に記載の分配器。
【請求項１１】
鼻拡張器が、該鼻拡張器の使用前に前記切り抜き部分内に配置される、請求項１０に記載の分配器。
【請求項１２】
鼻拡張器をユニットに提供するための分配器であって、
前記ユーザーにより把持されるように構成されたコンパクトなパッケージと、
前記パッケージ内に備えられ、接続された複数の鼻拡張器と、
前記複数の鼻拡張器が他の鼻拡張器から分離される前に通過して、前記ユーザーの鼻表面に適合されるところの、前記パッケージに形成された通路と、
を備える、分配器。
【請求項１３】
前記接続された複数の鼻拡張器は、前記パッケージ内に巻物の形態で提供される、請求項１２に記載の分配器。
【請求項１４】
前記複数の鼻拡張器は、前記パッケージ内に回転可能に支持された第１の巻物に提供される、請求項１３に記載の分配器。
【請求項１５】
前記複数の鼻拡張器を接続するための可撓性テープを更に備える、請求項１２に記載の分配器。
【請求項１６】
前記複数の鼻拡張器の各々は、前記テープの表面に接着固定されている、請求項１５に記載の分配器。
【請求項１７】
第２の巻物を更に備える、請求項１４に記載の分配器。
【請求項１８】
前記第１の巻物及び前記第２の巻物の間に接続された可撓性テープを更に備え、該テープには前記複数の鼻拡張器が取り付けられている、請求項１７に記載の分配器。
【請求項１９】
前記第２の巻物は、ハンドル又は指ハンドルのうち１つ又はそれ以上を用いて、ユーザーにより回転するように構成される、請求項１７に記載の分配器。
【請求項２０】
前記第２の巻物の回転は、前記第１の巻物から前記第２の巻物へ拡張器を前進させる、請求項１９に記載の分配器。
【請求項２１】
前記パッケージは、意図したユーザーの鼻表面に関連してサイズが定められた切り抜き部分を備える、請求項１２に記載の分配器。
【請求項２２】
鼻拡張器が、該鼻拡張器の使用前に前記切り抜き部分内に配置される、請求項２１に記載の分配器。
【請求項２３】
鼻拡張器を鼻表面に分配し、適合する方法であって、
コンパクトなパッケージ、該パッケージ内に備えられ、接続された複数の鼻拡張器、及び、切り抜き部分を用意し、
前記接続された複数の鼻拡張器のうち一つを前記パッケージの前記切り抜き部分へと前進させ、
前記パッケージを把持し、該パッケージの前記切り抜き部分をユーザーの鼻表面に差し向け、
前記鼻表面を前記鼻拡張器の一つに接触させ、
前記パッケージを前記ユーザーの鼻表面から引き離す、各工程を備える、方法。  
【請求項２４】
前記接続された複数の鼻拡張器を、前記パッケージ内に備えられた第１の巻物上で提供し、
前記パッケージから前記鼻拡張器を出すように前記第１の巻物を回転させる、各工程を更に備える、請求項２３に記載の方法。
【請求項２５】
前記接続された複数の鼻拡張器をテープ上で提供し、該テープは、前記第１の巻き物と、第２の巻き物との間に接続されている、請求項２４に記載の方法。
【請求項２６】
前記パッケージから前記鼻拡張器を出すように前記第２の巻物を手動で回転させる、工程を更に備える、請求項２５に記載の方法。
【発明の詳細な説明】
【技術分野】
【０００１】
本発明は、組織拡張器の分野に関する。特に、本発明は、鼻拡張器、分配装置、並びに、ユーザーの呼吸を改善するため組織を拡張するとき使用する組織拡張器を取り付けるための援助手段に関する。
【背景技術】
【０００２】
鼻型式の拡張器に関して使用する、鼻通路及び隣接する組織の拡張に関連した試みの分野は、短くて活動的な歴史を持っている、この分野における活動的な参加者及び革新者は、本願特許の所有者である、ＭＮ（ＣＮＳ）、エデン・プレーリーのＣＮＣ社である。近年、ＣＮＳは、とりわけ、呼吸を容易にし、呼吸の間の体積流量を増加させようとする試みで鼻通路を拡張するため人間及び馬で使用するための鼻拡張器を導入した。これらの従来技術の拡張器は、典型的には、１回だけの使用のためパッケージされ、添付材料又は装置は、拡張器に伴って分配される任意のパッケージ内に含まれている。従来技術の鼻拡張器を開示する代表的な米国特許番号には、６，０９８，６０６号、６，３１８，３６２号、６，０６５，４７０号、及び、５，５３３，４９９号が含まれ、各特許は、ここで触れたことにより本願に組み込まれる。
【０００３】
これまでのところ、鼻拡張器は、ユーザーが拡張器を適用することができるように開封されなければならない個々のパッケージ内にパッケージされてきた。これらの個々のパッケージは、しばしば、単一のパッケージ又は箱内にセットとしてパッケージされ、それで、ユーザーは、典型的には、箱を開け、単一の拡張器パッケージを引き出し、拡張器パッケージを開け、そして、拡張器を適用している。この従来技術のパッケージングは、コストを追加し、かさばり、平均的なユーザーのための拡張器を適合する上で困難さを増大させる。しばしば、拡張器は、単に、構造的剛性のため接着結合を有するボール箱の内部に配置されていた。
【０００４】
鼻拡張器の従来のパッケージングは、ユーザーが迅速に拡張器を得ることを妨害し、かくして、ユーザーによる拡張器の使用の頻度を減少させるおそれがある。更には、ユーザーが、たいていの場合に単一の拡張器を運びたい場合、単一のユニットは保護されず、たとえ開封されていなかったとしても、不意の接触から劣化するであろう。かくして、拡張器損傷の可能性が増大し、拡張器が損傷して使用できなくなるおそれがある。例えば飲食、運動、睡眠、休息等々のように、ユーザーが彼らの鼻通路を通して一時的に呼吸を増大することを瞬間的に欲した場合、従来技術のパッケージングは、そのような使用法を支持しない。
【０００５】
例えばラベル、スティック形態のチューインガム、接着包帯、名刺等の細長い対象のための従来技術の分配装置が、長い間、当該技術分野で知られ使用されてきた。例えば、１９９６年３月１２日にジョーンズに付与された米国特許番号５，４９７，９０４号は、改善されたガムラベルの分配器を開示しており、該分配器では、ポータブルのウェストが取り付けられ、ガムラベルの巻物を運搬するように構成されている。米国特許番号５，３５３，９５６号、４，４６５，２０８号、５，０５６，６８３号及び５，６４９，６４２号は、改善されたチューインガムの分配器を各々開示している。これらの分配器では、チューインガムの単一のスティックが矩形容器から手で排出される。米国特許番号４，６５３，６６６号、４，８７２，５９３号、５，２７１，５２２号、５，３５８，１４０号、５，７８２，７８６号及び５，９３９，１６１号は、接着包帯等を分配するための装置を各々開示している。米国特許番号６，０５０，４４９号、６，２４０，９８９号及び６，２６７，２６４号は、名刺を分配するようになった装置を各々開示している。これらの従来技術の特許の各々は、ここで触れたことにより本願に組み込まれる。単一の物品を分配するためのこれらの従来技術のアプローチは、いずれも、拡張器の格納及び使用に独自な問題を解決するものではない。
【発明の開示】
【発明が解決しようとする課題】
【０００６】
以上のように、ユーザーが容易にアクセスでき、拡張器を如何なるときでも適用することができるように、コンパクトで、ポータブルな保護式拡張器の分配器のための必要性が当該技術分野で存在している。鼻拡張器を使用前に尊称から物理的に保護する分配器のための必要性も当該技術分野で存在している。鼻拡張器が、ユーザーにより迅速、容易に正確に適用され得るように援助する、分配器及び取り付け器の組み合わせのための必要性も当該技術分野で存在している。
【課題を解決するための手段】
【０００７】
本発明は、膨張を提供し、これによりユーザーの呼吸を改善するため、新規且つ有用な非自明の拡張器用の分配器、並びに、該鼻拡張器を分配し取り付ける、取り付け装置及び方法を、教え、可能にし、図解し、説明し、請求する。
【０００８】
本発明は、接続された複数の拡張器を含むパッケージを有する、拡張器用の分配器を提供する。該パッケージは、拡張器が分離され使用される前に通過するところの、少なくとも１つのアパーチャを備える。
【０００９】
本発明の装置は、人間や、馬、犬等の動物のための伝統的な細長い拡張器を始めとした、様々な形式、サイズの拡張器で使用することができる。本発明は、棚、ディスプレイラック上の小売セッティングに配置するため、又は、本発明の教えから逸脱すること無く追加された純粋に装飾的な特徴（意匠権、特許権、商標権、貿易衣装権、著作権の基礎を独立に形成し得る）を有する織り地から吊り下げられるため構成されてもよい。
【００１０】
本発明の拡張器装置は、追加の拡張器をユーザーにより補充されるように構成されてもよく、又は、当該装置は、本発明の精神及び範囲から逸脱することなく、全体として使い捨て又はリサイクル可能にすることができる。本発明の装置は、異なるサイズの拡張器、及び、配置される拡張器の異なるユニットカウント数に適合するためサイズをスケール調整することができる。
【００１１】
本発明の拡張器装置は、拡張器の適合及び使用と関連して有用であるアイテムの組み合わせを含むのが好ましい。例えば、流体中に混濁され、及び／又は、布又はシーチングの一部分に染み込まされ、又は、解放可能な石鹸質流体又は粉末化された石鹸材料を有する、脱脂剤がある。拡張器の整列器具及び取り付け援助手段、拡張器形成及び調整構造（拡張器又は拡張器のセグメントの所望形状を形成するためのもの）がある。拡張器持ち上げ力調整構造、拡張器切断（及び／又は関連した測定）構造も本願で開示される。加えて、拡張器を組織に保持するため１次または２次の接着材料と、ユーザーが拡張器の配置及び整列を確認することができるように反射表面の使用と、が挙げられる。様々な拡張器の解放ライナーの取り外し構造、香気材料、治療材料（例えば、アスピリン、充血緩和剤、軟膏、香油、咳き止めドロップ、お茶等）も本願で開示され、それらの各々は、鼻拡張キット内の本願で開示される分配器及び／又は個々の拡張器に添付することができる。そのような鼻拡張キットの例は、与えられた用途のための拡張器の使用を促進する、装置及び流体を含んでいる。例えば、鼻拡張器の睡眠キットは、脱脂パッドや、拡張器を組み込むことができる再利用可能なアイシャドー（又はカバー）を含んでいてもよい。感冒／副鼻腔炎回復キットは、脱脂パッド、拡張器、唇／鼻香油、熱／感冒パック、アスピリン等を含んでいてもよい。鼻拡張器練習キットは、太陽スクリーン、反射拡張器、脱脂パッド、ストップウォッチ又はタイマーを含んでいてもよい。
【００１２】
本発明の第１の実施例は、一度に単一の拡張器を分配し又は測定することを意図している。本発明の関連する実施例は、コイン作動式販売器具に類似した拡張器用の分配器を備える。即ち、分配器のユーザーから受け取った値と引き替えに１つ以上の拡張器を分配する分配器である。これらの分配器は、ユーザーが電話を介して事実上キャンセル不可能な注文をして預けたコイン又は紙幣通貨に応じて、全世界のコンピュータネットワークに亘って作動することができ、又は、ユーザーに関する情報を記憶した電子的又は磁気的に読み書き可能な情報を有する通話クレジットプリペイカードを用いて作動することができる。
【００１３】
本発明の更なる実施例は、周期的に作動する分配器（即ち、設定時刻で分配器を自動的に分配する）、又は、ユーザーからの信号、例えばいびき信号（所謂、いびきインジケータにより受信される）、又は、ユーザーが無呼吸症状を有するということを示す信号に応答して拡張器を分配する分配器を備えている。更なる実施例では、分配器が作動するとき、照明源を付勢することができる。
【００１４】
病院や夜間の宿泊設備で使用するための本発明の別の実施例は、分配された各拡張器に対して、ユーザー／現住者により後で設定されるチャージがつくように、請求システムにワイヤ接続され又は連結される。
【００１５】
本発明の目的には、ユーザーが、任意の時間で、調整されたクリーンな環境に安全に格納されている拡張器に、容易にアクセスし、構成し、整列し、適合することができるように、設計されたコンパクトでポータブル式の拡張器用の分配器を提供することが含まれる。
【００１６】
本発明の目的には、鼻拡張器を使用前に参照から物理的に保護する拡張器用の分配器を提供することが含まれる。
本発明の更なる目的には、拡張器用の分配器と、該分配器をユーザーにより迅速、容易且つ正確に適合することができるようにした拡張器のための取り付け援助手段と、を備える結合式装置を提供することが含まれる。
【００１７】
本発明の上記及び他の目的は、可能にされ、教えられ、開示され、説明され、図解され、請求された本発明の使用により取り組まれ、達成される。
【実施例】
【００１８】
本発明は、多数の個々の分配器１０のセット２０としてパッケージされ得る組織拡張器１０のための様々な形態の分配器を包含する。本発明は、添付図面、及び、引き続き詳細な説明を参照して手短には説明されず、様々な追加の実施例の記載された説明が、読者が本発明に僅かに異なる斜視形態を認めることができるように設定される。
【００１９】
ここで、図１ａ及び図１ｂを参照すると、個々の拡張器１０のための２つの従来技術のパッケージング構造２０が表されている。該構成では、各拡張器ユニット１０が、両シート材料の間に形成されたポケット内に保持されている。当該材料は、典型的には、低温セット又は他の種類の接着材料で各拡張器１０の回りの周辺部にシールされている。パッケージング構造２０は、通常、再シールペーパー又は従来技術を使用してシールされるボール箱（図示せず）に梱包されている。
【００２０】
ここで、本発明の実施例を表す図２ａ及び図２ｂを参照すると、拡張器パッケージング２２の新しい形態が、２つの細長いシート材料２４、２６から構成された巻物形状へと形成され、該シート材料は、図２ａ及び図２ｂで破線で示された類似の複数の個々の拡張器１０を収容するため該２つのシート材料間に形成された複数の個々のポケット２８を有する。
【００２１】
図３a、３ｂ及び３ｃに表された３つの図面は、本発明の幾つかの実施例を示しており、該実施例は、複数の拡張器１０は個々の配置位置１０’を各々有し（３つの図面全てで破線で示される）、単一のシート材料２４だけが拡張器１０を適所に保持するため使用される。かくして、各拡張器１０の上側表面１１は、事実上露出され、周囲状態に向き合って保護されていない。保護パッケージ又は分配器（図示せず）に配置されていなければ不意の接触により損傷を受けるおそれがある。図３は、シート２４又は直線材料の巻物上に所謂「島配置」された拡張器１０を示している。これらは、それらが示された通りに提供されてもよく、又は、再充填として提供される分配器パック内に設けられてもよい。
【００２２】
図４ａ、４ｂ、４ｃ、４ｄ及び４ｅの各々では、拡張器用の分配器３０のための関連する実施例のファミリーの異なる各々が示されている。図４ａでは、重力供給式（即ちスプリング付勢ではない）パッケージ３２が、パッケージ３２の下側部に形成された取り出しスロット３４を有する（上側重力援助式スプリング部材（図示せず）に抗し得る）。図４ｂでは、摺動カバー３８を有する、スプリング付勢式「ポップアップ」パッケージ３６が、スプリング部材４０に対向して配置された摺動カバー３８を有する。
【００２３】
図４ｃでは、拡張器装置１０が配置されるシート材料４４のＺ字折り畳み形態で使用するためのパッケージ４２が示されている。
図４ｄでは、パッケージ４２は、複数の拡張器１０が共通のフレーム部材４８から各々吊り下げられ、拡張器１０にアクセスするためユーザーがパッケージ４６から一つの拡張器を単に引き裂くだけである。
【００２４】
図４ｅでは、重力供給引き出し式パッケージ５０が表されている。パッケージ５０が転置されたとき、拡張器１０は、拡張器１０を手で回収するのに使用するためパッケージ５０内に形成されたアパーチャ５２を通して容易に手でアクセス可能となる。
【００２５】
図４ａ乃至図４ｅに表された実施例では、典型的に細長い拡張器１０は、拡張器が夫々のパッケージ部材のスロット、アパーチャ又は開口部に平行又は垂直に引き出されるように配位されていてもよい。加えて、図示された本発明のスプリング付勢式の実施例では、該スプリングは、螺旋スプリング、リーフスプリング、例えば発泡又は弾性材料等のばね定数を有する材料であってもよい。そのようなスプリング部材は、金属、樹脂、発泡体、ゴムから形成されてもよく、圧縮されたとき偏倚力を提供する任意材料から形成されてもよい。等価な偏倚力を生成する他の手段が、図示又は説明されたスプリング部材と連係して又はその代わりに使用されてもよい。即ち、ゴムバンド又は材料の弾性セグメント等の張力を生成する構造部が、拡張器１０を分配器パッケージ３０内の開口に向かって偏倚させるため用いられてもよい。図４は、分配器のパックに関する幾つかの思想を示しており、とりわけ図４ｄが非常に独自なものである。図４ａ、４ｂ、４ｃ、４ｄ及び４ｅは、単一のコールドシール部を意図している。図４ｃは、ｚ字折り畳み形状を形成するため（折り目における穿孔というよりも）接着剤を用いて実行され得る。
【００２６】
ここで、図５を参照すると、接着テープの分配器に類似した分配器５５が、シーチング５６の巻物で示されている。該巻物は、一方の側に配置された一連の拡張器１０を有し、これらは作動中にシーチングがスロット５８を通過して拡張器１０がユーザーに手でアクセス可能となったときシーチングから分離される。図５の設計は、ユーザーが拡張器１０を必要時にポップすることを可能にするため巻物（図３ｂに類似）を使用する。分配器５５は、使用済み巻物を代替することができる拡張器の補充で装飾されてもよい。図５には表されていない関連する実施例は、弾性ストリップ及びシーチング５６が連続的な拡張器を備えるようにシーチング５６に接着された少なくとも１つの連続的弾性ストリップを有する。使用中には、所望の長さの材料が分配され、切断され、鼻組織を拡張するため適用され、所定長さの接着テープを分配するときにも同じことが云える。
【００２７】
図６ａ、６ｂ、及び、６ｃは、特別に構成された分配器のための各拡張器用のポケットを形成するため好ましくはコールドシールされた２つのシート材料６７、６８から構成された巻物式分配器６６の図と、該巻物の材料の図と、拡張器が分配器から各々現れるとき、コールドシールされたシートが如何に拡張器から分離されるかを示した図と、を表す。図６ａでは、コールドシールされたシングレットの連続的巻物は、コールドシールの２つの側が引っ張られるとき、中央から拡張器を事実上ポップさせることを示している。ギザギザの付けられたエッジが、蓄積したコールドシール材料を除去するため使用されよう。分配器は、適合するため販売された拡張器の補充で装飾されてもよい。
【００２８】
図６ｄは、巻物式分配器６９の別の実施例を示す。拡張器１０の巻物巻きされたセット２０が分配器６９内に保持されている。巻物式セット２０は、分配器６９内に回転可能に保持される。セット２０の回転は、構成部品７０のユーザー操作に応答してなされ得る。セット２０の回転は、アパーチャ７１を介して拡張器１０の分配をもたらす。構成部品７０は、ハンドルであるように図示されている。なお、構成部品７０は、例えばノブ、ディスク、指ハンドル等の別のユーザー操作装置であってもよい。拡張器１０を解放した後、コールドシールされたシート７３は、巻物７２を取り上げたとき分配器６９内に捕捉される。取り上げられた巻物７２は、分配器６９の壁７３、７４の間の適所に保持されてもよい。取り上げられた巻物７２は、拡張器が分配器から延長されたとき、取り上げられた巻物がコールドシールされたシート６７、６８を受け入れるように回転されるように、ハンドル７０に機械的に連結されてもよい。一実施例では、取り上げられた巻物７２は、ハンドル７０が回転されるのに応答して回転するためギアを介して連結されてもよい。
【００２９】
図７a、７ｂ、７ｃ、７ｄ、７ｅ及び７ｆは、一連の分配器の種類７７を図示した斜視図である。即ち、複数の拡張器を保持し保護するための保護分配器パッケージ又はハウジング７８（図７ａにはカバー無しで示される）と、複数の拡張器が、共通のポスト又はピンにより保持され、それらが使用されるまで一緒のままである分配器と、複数の拡張器を保持するようにサイズが定められたカップ部材と、拡張器が（コンテナを振ることにより）手で引き出され又はイジェクトされるところの、一端部に形成されたスロットを有する細長いコンテナと、拡張器を内部に保持するため結合され又はシールされ得る開放端部を有するソフトパッケージと、拡張器用のヒンジ付き蓋式(又は貝殻式)パッケージと、閉じられたとき事実上係止する摩擦適合ヒンジ付き蓋式コンテナと、を図示する斜視図である。図７は、コールドシールされたシグレット及びダブレットに関する様々なパッケージを示す。分配器７７のパッケージ７８は、プラスチック、ペーパー、ファブリック、又は、他の既知のパッケージング材料から作られてもよい。
【００３０】
図８ａ及び図８ｂは、多角形形状を有する回転式拡張器用の分配器８０の２つの実施例を表し、各拡張器が該多角形形状の略平坦部分上に配置されている。これらの分配器８０は、バンド又はベルトに連結するように構成されてもよく、該バンド又はベルトは、ユーザーの手首、ウェスト又は他の先端部分の回りに連結される。分配器８０は、そこから拡張器を回収するため分配ポートで覆われてもよい。分配器８０は、回転軸で回転可能に連結されるのが好ましい。約２又は３より多い個々の拡張器１０が平坦表面部分上に配置されている場合、連続する拡張器１０の間の間隔は、各々が多角形形状のコーナー部分に亘って曲げられないように増加されるべきである。
【００３１】
図９は、２つの回転式スプール９２、９４を有するカセット式拡張器用分配器９０の平面図であり、第１のスプール９２が輸送器ベルト又はテープ９４に連結された拡張器１０を有し、他のスプール９４が、輸送器ベルト又はテープ９４を回収し、それにより単一の拡張器１０が挿入されたユーザーの鼻と直接接触するため分配器９０の切り抜き部分９６に亘って吊り下げられている。
【００３２】
図１０は、切り抜き部分９０に亘って吊り下げられた単一の拡張器１０を示す、図９のライン１０−１０に沿って取られた立面図である。
図１１は、別の拡張器用分配器１００の斜視図である。分配器１００は、意図したユーザーにより把持可能であるようにサイズが定められている。様々に異なる分配器１００を、様々に異なるサイズとすることができ、例えば、子供用サイズの分配器１００は、大人の使用を意図した分配器１００よりも小さくなるであろう。分配器１００は、把持可能なパッケージ１０２を備え、該パッケージは、接続された複数の拡張器１０と、少なくとも１つのアパーチャ１１０、又は、拡張器１０が使用前に通過するところの他の通路と、を含んでいる。「パッケージ」という用語は、本願で使用されるとき、拡張器１０を収容するのに適した任意のコンテナを含むように幅広く定義されている。例えば、パッケージ１０２は、単一壁又は多重壁のペーパー製箱でもよい。パッケージ１０２は、既知のクリアテープの分配器に類似した、開いたコンテナであってもよく、又は、略閉じた箱状のコンテナであってもよい。パッケージ１０２は、プラスチック、ペーパー、代替材料、又は、それらの組み合わせであってもよい。パッケージ１０２は、拡張器１０を含むためのペーパー製又はプラスチック製の箱であってもよい。この実施例では、パッケージ１０２は、一対のスプール１０４、１０６を含み、各々が、可撓性テープ１０８の一部分を収容する。可撓性テープ１０８は、プラスチック材料から作られてもよく、分配器１００の一対のアパーチャ１１０を通過する。テープ１０８の表面上に設けられているものが拡張器１０である。拡張器１０は、テープ１０８に接着固定されてもよい。複数の拡張器１０が最初にスプール１０４内に保持される。拡張器１０は、使用前に拡張器の接着剤を露出するための解放シート１１２を備えていてもよい。スプール１０６は、スプール１０６を回転するための装置１１４を備えていてもよい。本実施例の装置１１４は、ユーザーが別の拡張器１０を露出するため操作することができる指ハンドルである。指ハンドル１１４は、指ハンドル１１４の少なくとも一部分が拡張器１０を切り抜き部分９６内に押し進めるためユーザーにより係合されるように、パッケージ１０２の側壁のアパーチャ１１５を通って延在する。装置１１４は、ノブ又はディスクを始めとする他の形態を取り得るが、これらに限定されるものではない。別の実施例では、スプール１０６は、スプール１０４から拡張器を押し進めるため配置されたスプリングであってもよい。切り抜き部分９６は、図１２を参照して本願に説明されたように分配器１００の機能を達成するため異なる形態を備えていてもよい。詰め物（図示せず）を、拡張器１０を適用するときユーザーの鼻に対する分配器１１０の接触を緩衝させるため切り抜き部分９６内に設けられていてもよい。
【００３３】
図１２は、ユーザーに関連した分配器１００を示している。拡張器１０を適用する工程は、拡張器１０を分配器１００の切り抜き部分９０内に押し進め、解放シート１１２を拡張器１０から取り外し、拡張器１０が鼻表面と接触して接着固定されるように分配器１００を把持して切り抜き部分９０を鼻表面に向かって差し向け、拡張器１０を適所に解放するため分配器１００を鼻表面から取り外す、各工程を備えることができる。拡張器１０を鼻表面に適用するそのような方法は、配置又は可動性が限定された状態で子供又は大人にとって特に有用となり得る。
【００３４】
以下、本発明を、この開示内容の読者が、その様々な実施例の作動への追加された見方を得ることができるように、添付図面を参照して説明する。
本発明の分配器は、多数の拡張器を提供するためスケールが調整されてもよく、幾つかの異なる種類の拡張器の間で選択するように構成されてもよい。本願の発明者らは、拡張器の約３８から４４ユニットが、所謂クラブソア分配器のパックにより提供されるべき最小量であると提案している。しかし、最大数のユニットは、この開示内容の教えに含まれておらず、この教えから推察されることはない。分配器は、吊った状態をパッケージにしてもよく、又は、垂直表面に接着されてもよく、又は、水平表面上に配置されてもよい。勿論、本発明のほとんど全ての実施例は、再充填し得る再使用可能な分配器であってもよい。好ましい構成材料は、ボール紙又は板紙であるが、金属、金属合金、樹脂若しくはプラスチック材料、複合材料、ガラス、木材等を始めとする他の任意材料を使用してもよい。分配器は、直線状材料のシートの両側に拡張器を提供し、又は、直線状材料の一方の側に拡張器を提供し、又は、直線材料の２つのシートの間に形成されたポケット内に配置された１つ以上の拡張器を提供する拡張器パッケージで使用することができる。巻物形状の押し出し成形の拡張器で使用するのが可能である実施例では、押し出し成形される拡張器材料及び非直線状材料が、分配器から分配されてもよい。巻物形状の拡張器（図２ｂに表されている）は、拡張器に形状記憶を分与することができる(特に、巻物のコアの最近傍に配置された装置)。そのような形状記憶は、拡張器用のユーザーの損傷に対する意図したスプリング力を変えることができる。他方、この種の分配器の形状は、拡張器の意図したスプリング力を増加させ又は少なくとも維持するため使用されてもよい。これとは反対に、図２ａで表された実施例は、分配される拡張器の意図したスプリング力を修正しようとする傾向がより少ない。
（回転式拡張器用分配器）
本発明の別の実施例は、回転式鼻拡張器用の分配器を備えており、複数の拡張器が回転部分の回りを巻き付いており、１個ずつユーザーにより巻き解かれる。
【００３５】
本実施例の第１の形態では、回転式鼻拡張器用の分配器は、回転部分を有し、該回転部分の回りを複数の鼻拡張器が巻かれ、各拡張器は別の拡張器に接続されている。該回転部分は、断面が多角形形状に形成され、各拡張器が該多角形の略平坦表面部分上に配置するようにサイズが定められるのが好ましい。例えば、八角形形状の回転部分が本実施例のこの形態に従って適合される場合に、好ましくは少なくとも８つの拡張器が、八角形の８つの面の各々に配置されよい。この実施例は、様々に異なる形状の回転部分の回りに巻き付かれた多数の拡張器を収容し、分配するように使用されてもよく、この場合には、拡張器のためのパッケージングが、拡張器の各連続層のため該拡張器の間に増大した間隔を形成する。
【００３６】
この特定の実施例の第２の形態では、回転部分は円柱状に形成され、一連の略平坦部分（即ち多角形）を持ち、又は、略平坦部分の代わりに僅かな隆起部分又は冠部を持っていてもよい。該拡張器は、個々にパッケージされてもよく、又は、所定長さの接着剤裏塗りテープに単に接着されても、又は、該テープに組み込まれていてもよい。実際に、連続した弾性材料（１つ又はそれ以上の薄い弾性ストリップとして形成される）が、上記長さの該接着剤裏塗りテープ材料に接着されても、又は、該テープに組み込まれていてもよい。該長さのテープはユーザーにより単に所望の長さに巻き解かれ、接着剤裏塗りテープの残りの長さ部分から切除され、切断される。勿論、弾性材料は、接着剤テープ材料の一方若しくは両側に配置されてもよく、巻物が単一の接着剤裏塗り側しかもっていない場合には、接着剤裏塗り側は、巻物の下側部分又は上側部分のいずれにあってもよい（同じものが上記分配器から現れる）。接着剤裏塗り側を上側部分に持つことの一つの利点は、任意の個々の拡張器で呈された任意の冠部又は隆起形状が拡張器により提供される持ち上げ力の大きさを増大させるため有利に使用され得るという事実から生じる（即ち、弧状形状を呈させる拡張器の任意の形状記憶が、冠部又は隆起部がユーザーの鼻に当たり、これを拡張されるべき組織に接着させるように、拡張器の凸側を反対にすることにより用いられてもよい。）。
（テープ式の分配器）
本発明のこの実施例の基本形態は、セロファンテープの巻物（使い捨て又は再利用可能のいずれでもよい）用の分配器にあらゆる点で類似した分配器を備え、該分配器は、ベース部材の回転軸で拘束された回転部分を有し、セロファンテープの巻物から間隔を隔てた分配器に一体成形された、鋭い又はぎざぎざの切断器具を有する。しかし、セロファンテープの巻物の代わりに、特別に準備された連続的拡張器材料の巻物が回転部分に配置され、該回転部分は、一方の側に塗布された接着剤と、該分配器の切断器具を使用してユーザーにより容易に切断又は切除され得る、そこに連結された少なくとも１つの薄い弾性構造部とを有する。回転部分は、特別に準備された連続的拡張器材料の巻物に一体化されてもよく、又は、セロファン分配器の分野で知られているように、それ自体再使用可能であってもよい。使用中には、ユーザーは、分配器から所望の長さの拡張器材料を単に引っ張り出し、手でセグメントを切断するだけである。所望ならば、ユーザーは、拡張されるべき組織に拡張器材料のセグメントを適合するか、又は、ユーザーは、セグメントにより提供される有効な持ち上げ力を増加させるため、一つのセグメントを別のセグメントの上に載せて１つ又はそれ以上のセグメントを組み合わせてもよい。本実施例では、ユーザーは、セロファンテープ又は類似の既知の現存するテープ材料（例えば、マスキングテープ、医療テープ、接着ガーゼ、所謂第１の援助テープ等）を利用してもよい。
（多重巻物テープ式分配器）
代替例として、２つの別々の巻物の材料を、共通の分配軸、又ハウジング、移動経路に沿って単一の分配器内に配置し、それによりユーザーが材料のセグメントを抽出したとき、２つの材料が、二重基材物品を形成するため組み合わされ又は一緒に接着されるようにしてもよい。好ましくは、第１の巻物は、所定の幅寸法を有する薄い接着基材を備え、第２の巻物は、該第１の巻物より小さい幅寸法を有する弾性材料を備える。弾性材料は、接着基材と弾性材料との間の継続的な接触を促すためその一方の側又は両側に配置された接着材料を持っていてもよい。オプションで、拡張器用の分配器の切断器具へと一体形成され又は近接して間隔配置される、ニップローラー式アッセンブリ、単一ローラー、又は、滑らかな隆起特徴を、薄い接着基材と弾性材料との間に堅固な接触を確立するため設けてもよい。
【００３７】
本実施例では、ユーザーは、最初に構成し、単により低い弾性材料からより高い弾性材料へと弾性材料の巻物を変更することにより、多様な持ち上げ力を有する分配器用の拡張器へと、最初に分配器装置を構成したり、自在に再構成することができる。勿論、ユーザーにより代替された弾性材料は、後の使用のために格納してもよい。２つの巻物材料が使用されたとき、各巻物が他の巻物に対して反対方向に回転するように分配器を構成することにより、分配器をよりコンパクトにすることができる。２より多い巻物材料が使用された場合（例えば、薄い接着材料の上側巻物及び下側巻物、及び、その中間の弾性材料）、それらは、同じ方向に回転してもよく、又は、そのうち幾つかが逆回転し、これら巻物の他の巻物の反対方向に巻き解かされてもよい。同様に、本発明の拡張器用の分配器は、両側に形成された接着テープ材料及び／又は弾性材料に配置された接着剤（又は弾性材料それ自体が接着性を持つ）を利用することができる。また、巻物材料は、互いから間隔を隔てる必要はないが、該巻物の他方に対して載置することができ、かくして、望ましくない緩み、泡立ち、よじれ、ループ形成等無しに多様な材料の分配さえも促進することができる。任意の巻物材料は、該巻物材料の他方と係合するためスプリングで付勢されてもよく、及び／又は、巻物材料を、それらが自在に巻き解かれることができず、分配器から材料を引き出すため十分な力が加わったときのみ巻き解くことができるように、スプリングで付勢されていてもよい。本発明のこの形態では、ラチェット式機構が、当該材料が、材料のセグメントがその夫々の巻物から切断された後、分配器内に引っ込まないことを確実にするため使用されるのが好ましい。ラチェット式機構が使用された場合、該機構のクリック数は、材料の如何に多くが分配されるかを表示するため使用されてもよく、ユーザーは、どの数のクリックが、特定のユーザーのため適切なサイズの拡張器に対応するかを知ることができる（又は、試行錯誤により学習することができる）。
【００３８】
拡張器を製造する限定された製造運転のために、上記分配器の大きなスケールのバージョンを利用することができる。このように形成された拡張器の層の接着結合の代わりに、熱シール又は冷間打ち抜きされた材料を使用することができる。単に切断家庭用品を追加することにより、拡張器を、使用のため個々にパッケージされ得るユニットセグメントへと切断してもよい。
【００３９】
拡張器のための巻物式分配器のこれら全ての実施例では、リーダーテープ又は類似の非拡張器材料のセグメントを、拡張器材料の浪費を最小にするため追加してもよい。更には、これらの巻物式拡長器用の分配器が共通のセロファンテープ分配器を参照して記載されたが、これらに限定するものではなく、前記した全ての実施例を他の形態へと組み込むことができる。例えば、前述したように製造され使用される分配器は、単一の拡張器の分配スロット又はアパーチャを備える閉じたパッケージを備えていてもよい。パッケージは、該巻物材料の取り外しや交換のため手でアクセス可能である各巻物材料を保持するため、個々の区画室を持っていてもよい。これらの区画室は、組み立てられた拡張器だけが分配器の使用中にユーザーの目に見えるようにヒンジ又は摺動フラップを介してアクセスすることができる。
【００４０】
上記した実施例では、接着基材及び弾性部材は、薄い又は平坦な材料部分として記載されたが、それらは、ロープ形状を具備してもよく、又は、弾性材料が、そのようなロープ形状を備えていてもよい（又は幾何学的に形成され得る）。そのような材料が使用された場合、分配器は、それが巻き解かれるとき、そのような材料のほとんど不可避のトラッキングに適合するのが好ましい（即ちシリンダーの回りに巻かれたガーデンホースのように）。弾性材料のそのようなトラッキング運動に適合する一つの態様は、共通軸又は移動経路に沿って材料が巻物から均一に巻き解かれるように、１つ以上の案内手段を設けることである。そのような巻物状又は幾何学形状の弾性材料が使用される場合、接着材料は、それにも拘わらず、上記した薄い接着基材を備えてもよく、該接着基材は、弾性材料が基材に適切に連結され、該基材がユーザーの鼻に適切に連結されるように、両側接着剤の基材であるのが好ましい。勿論、両側接着剤の基材が使用された場合、各側は、意図された使用法により及び接着されるべき表面の種類及び適合性により規定されるような異なる強度の接着剤を塗布される。
（拡張器の整列構造）
本発明の別の実施例では、拡張器の整列構造は、拡張器用の外側パッケージ又は分配器のいずれかに組み込まれる。この拡張器整列構造は、ユーザーが拡張器を拡張されるべき組織を覆う位置へと整列するときに、単一の拡張器を一時的に保持し、維持するため、少量の接着剤及び／又は少なくとも２つの拡張器保持部材とを有するのが好ましい。本発明のこの形態では、拡張器は、好ましくは、パッケージング内に配置されくてもよく、拡張器整列構造に面した裏張り部分と、ユーザーに面した組織に該裏張り部分を接着するための接着部分と、を有する。拡張器整列構造は、略平坦な拡張器受け取り保持表面を有し、該表面は、ユーザーの鼻の形状に類似した湾曲形状で形成することができる。好ましくは、拡張器整列構造の形状は、各ユーザー毎にカスタマイズされるが、ユーザーの鼻の鋳型も使用されてもよい。この点において、鼻のデジタル表現を形成し、整列構造分配器の形状を形成するため使用してもよい。好ましくは、前記形状は、拡張器を受け取り保持するための影凹部又は溝を備えている。拡張器整列構造は、樹脂、プラスチック、セラミック、板紙、ボール紙、ゴム、ラテックス又は他の任意材料から形成されてもよく、直色され若しくは明度を上げ、又は、それらの組合せとしてもよい。
【００４１】
上記した実施例の代替形態は、ユーザーにより適合させるように準備された少なくとも１つの拡張器を組み込んだ、使い捨ての拡張器整列構造を備えている。好ましくは、各使い捨て拡張器整列構造は、かかる構造のコンパクトな多重ユニットスタックとして構成された比較的薄いシート材料から形成される。従って、そのような幾つかの構造の上記スタックの各々一つは、第１又は隣接するユニットがスタックから取り外されるとき、接着層のための解放ライナーが拡張器から取り外されるように、次のユニットに連結されている。解放ライナーは、次に連続するユニットにより又は該ユニット上に保持されてもよく、或いは、ユーザーが単に拡張器整列構造を手で整列させ、拡張器の接着部分と拡張されるべき組織との間の接触を形成するように一時的に保持されていてもよい。拡張器整列構造は、シート材料が形成され、真空形成され、積み重ね形状へと、鋳造、押し出し等されてもよい。この実施例の使い捨て形態は、好ましくは、再生可能材料から作られ、着色され、明度が上げられ、又は、これらの組み合わせが用いられる。また、拡張されるべき鼻組織に対して拡張器を正確に位置決めする際にユーザーを援助するため様々な整列特徴のうち任意のものを用いることができる（後述する）。
（カスタム式整列構造）
ユーザーは、上記されたように、本発明の実施例に係るカスタム式拡張器整列構造を形成することができる。そのようなカスタム式拡張器整列構造を形成するためのプロセスは、柔らかい１次または中間材料でユーザーの鼻の彫り型を形成し、該中間材料の柔らかい１次材料を処理して、鼻の形状を剛性化する。柔らかい１次材料又は中間材料は、開閉発泡セル材料と、温度検知形態保持材料のシート（又はアルミニウムフォイル等）と、開放側部の容器に配置されたゲル材料と、プラスター又は鋳造材料、又は、該材料内に押し込まれた物体の形状を一時的に保持する別の種類の材料（例えば、フレーム内に摺動可能に配置された近接した複数のピン部材）と、を備えていてもよい。柔らかい１次材料又は中間材料は、熱を加え、熱を除去し、その結果生成された構造がユーザーの鼻の形状に密接に従うようにすることにより、より利用可能な剛性形態へと処理される。
(整列構造のための整列指示部)
整列構造は、拡張されるべき鼻組織に拡張器を高精度且つ正確に適合する際に使用するための、次の整列指示部の少なくとも１つの形態を含むのが好ましい。該整列特徴は、鼻のブリッジ、鼻の先端部、ユーザーの顔の長さ方向軸線に対して整列することができる。選択された拡張器整列構造の種類及び形態は、いずれの整列指示部が有効であるかを少なくとも部分的に指令する（例えば、整列構造が開いた端部の円錐構造である場合、鼻のブリッジ又は先端が最良の整列指示部を提供する可能性が高い）。整列構造が略円柱形状を具備する場合、鼻の横方向に隣接する鼻孔又は組織が最良の整列を提供することができる。整列指示部は、視覚的であってもよく（例えば、反射表面、ライン、ドット、デザイン又は他の表示手段）、又は、触感的であってもよく（例えば、１つ以上の隆起部、アパーチャ、窪み、リップ、織物領域等）であってもよく、或いは、視覚的及び触感的指示部の組み合わせであってもよい。整列指示部の別の実施例は、ベース材料に配置された２つの間隔を隔てたスポット又は他の表示手段が、ベース部材が、対象である鼻に漸近的に接近するとき光学的に統合化されるように見えるとき観察される光学現象を利用する。対象の目の間の対称性に起因して、スポット又は表示手段は、ベースの中央部がユーザーの鼻に接触したときのみ統合されるように見える。本実施例は、ベース部材上の２つの間隔を隔てた表示手段を備え、該ベース部材は、ベース部材の中央部に亘って拡張器を解放可能に保持するように構成される。本発明のこの形態では、ベース部材は１以上の拡張器を分配するようになってもよい。例えば、単一の拡張器は、ベース部材の各側に接着され又は機械的に連結されてもよい。又は、ベース部材は、ベース部材に連結された区画室内に配置された幾つかの拡張器を持っていてもよい。そのような区画室は、拡張器がそこから分配されるとき、引き続く拡張器が対象に容易にアクセス可能であるように拡張器の各々又は全てに偏倚力を提供することができる。本発明のこの形態は、多数の様々な種類の拡張器で使用することができる。勿論、与えられた拡張器の適切な有効取り付け位置に対する目の異なる垂直高さに起因して、ベース部材上のスポット又は表示手段が、その上に配置された拡張器に類似した関係を与えるのが好ましい。スポット又は表示手段の代わりに又はこれに加えて、他の構成、例えばアパーチャ、照明のポート若しくは源（例えば、発光ダイオード）等が、等価な機能を提供することができる。使用中には、対象に拡張器を連結するため典型的に使用される、接着材料上で覆う任意の解放ライナーの除去は、拡張器が少なくとも一時的に且つ正確に第１の接点で該対象に連結するように行われるべきである。ベース部材は、一定半径又は変化する半径で湾曲されてもよく、又は、複雑な幾何学的断面を持っていてもよい。ベース部材は、細長い特徴を持っていてもよく、拡張器が配置された位置から延在するとき、該特徴上でスポット又は表示手段が配置される（対象の目及び鼻に対して幾つかの高さを有する１より多い部品であってもよい）。
（取り付け援助手段を備えた三角形拡張器）
本発明の別の実施例は、拡張器を取り付けるための援助手段であり、これは単一の拡張器で製作され、パッケージされるのが好ましく、本発明の装置を使用して容易に分配されてもよい。本実施例は、拡張器の長さの大多数を延在し、且つ、拡張器の外側部分で長さ方向の中央軸線の近傍で選択的に接着される細長い解放ライナーを備えているのが好ましい。かくして、解放ライナーの２つの端部が拡張器から分離されるとき、それらは、三角形状をなすように曲げられてもよい。ユーザーは、三角形形状の一部分を単に把持し、拡張器を鼻の隆起部に押し付けるだけである。三角形形状を使用した配置の精度は、ほとんど全ての人が、かれら自身の鼻の隆起部に一貫して正確に接触することができるという事実に関連するように見える。
（取り付け援助手段を含むループ形状の拡張器）
前述した実施例の関連した実施例は、拡張器を操作し正確に適合するのが容易であるループへと巻かれるように設計された選択接着式の解放ライナーを使用する。そのようなループのいずれか１つ又は２つを、単一又は２つの手による取り付け特徴のため有利に用いることができる。２つのループが形成され、ユーザーにより操作される場合、該ループの各々は、ユーザーの鼻の隆起部の両側に配置されるのが好ましい。
（拡張器ループ形態）
既に説明したループ実施例の更なる改良点は、解放ライナーに連結された細長い半弾性部材の更なる要素を備え、該半弾性部材の第１の端部は拡張器に接着され、該半弾性部材の第２の端部はその上に結合された接触検知式の接着剤を有する。かくして、ユーザーが半弾性部材をループへと曲げ、拡張器の第２の端部を接着するとき、追加の持ち上げ力が、拡張器に分与され、かくして、拡張器により影響を与えられる組織の隣接する領域に分与される。この実施例は、半弾性部材が曲げられるとき、該部材の各端部で、張力又は復帰力を発生することにより持ち上げ力を形成する。「半弾性」という用語は、ＣＮＳ社のブリーズライト（Ｒ）という鼻拡張器のブランド名の下で、Ｕ．Ｓ．Ａ、ミネソタ州のＣＮＳ社により、現在、製造、販売されている弾性部材の大きさの相対強度を参照して使用される。
【００４２】
既に説明した半弾性部材の更なる実施例は、ループ形成された半弾性部材により分与された持ち上げ力の大きさの調整能力を備えている。本実施例では、半弾性部材の第２の端部に配置された第１の接着成分は、第２の接着性分を有する幾つかの位置の一つで拡張器の裏側へ完全に接着される。かくして、ユーザーは、拡張器を適合する前に半弾性部材の第２の端部を組織の領域にどこに接着するべきかを選択し、これにより持ち上げ力を調整する。幾つかの位置の各々は、ユーザーへの案内として、どの位置がその他の位置よりも大きい力を発生するかを指し示す表示手段がマークされるのが好ましい。
（単一領域拡張のための巻き式の拡張器）
上記段落で説明された実施例は、組織の単一部分、例えば、ユーザーの鼻の一方の側部への用途へと導かれる。本実施例では、細長い単一側拡張器が細長いベース部材の第１の端部及び裏側で接着された半弾性部材を備える。拡張されるべき組織の領域に隣接してベース部材を有利に配置することができるように、ベース部材が該ベース部材の全前側を覆う接着の層を持つのが好ましい。半弾性部材の第２の端部は、ユーザーがベース部材から半弾性部材を巻き上げ、その第２の端部を拡張されるべき組織の領域へと接着することができるように、接触検知式の接着剤の層をその上に配置させている。この特定の実施例の僅かな修正点には、組織の領域との有効な接触を促進し且つ組織のより大きい領域に当たって持ち上げ力を分配するため接着層を備えた、吸引式カップ又は拡大された足部材が含まれる。勿論、吸引式カップ又は拡大された足部材は、拡張器の使用により要求されるように、異なるサイズ又は接触面積へとスケール調整することができる。
（シート式の巻上げ及びループ式の拡張器）
巻上げ式又はループ式の拡張器のラインに沿って既に説明したものは、組織の領域に持ち上げ力を付与するためユーザーにより巻き上げられ、ループ形成されるコンパクトな拡張器のファミリーである。拡張器のこのファミリーの各部材は、ユーザーにより巻き上げられ又はループ形成されて組織の領域に接着することができる、半弾性部材を組み込んだ薄いシートの材料として、製造、輸送されることが意図されている。これらの拡張器は、軸外しの拡張又は持ち上げの力を提供するようになっている。即ち、ユーザーによりループ形成され又は巻き上げられたとき、弾性部材のボディは、半弾性部材の第１の端部及び第２の端部と共通軸上にある必要はない。本実施例の好ましい形態では、拡張器は、例えば円、正方形、長方形又は製造に通じた他の形状等、任意の形状を有する、ほとんど一体の構造であり、コンパクトなパッケージングで、使用が容易であり、組織の異なる領域に持ち上げ力を各々提供する巻上げ式又はループ式の拡張器を提供する。例えば、本実施例による長方形形状は、長方形の拡張器の中央位置にのみ接着剤を有する。一対の蛇行状（又は少なくともＣ字形状）の半弾性拡張器部材は、共通端部で中央接着位置から発し、僅かに間隔を隔てて隣接する夫々の第２の端部で終わっている。これらの第２の端部は、中央位置で接触検知式の接着剤の共通パッチを分かち、これにより、拡張器の大量生産を簡単にする。第１に、中央位置ベース領域は、組織の領域に接着される。次に、拡張器部材の対の一方は、解放ライナーから取り外され、後方に曲げられて、その元の位置から離れ、隣接する組織に接着され、かくして、持ち上げ力をその隣接組織に提供する。この特定の実施例は、ユーザーの組織上で使用するため設置されたとき視覚的に楽しい形状に形成されていてもよい。例えば、拡張器の任意の形状を僅かに修正することにより、ハートの形状を容易に形成することができ、又は、本発明のこの形態に従って、蝶の形状を構成してもよい。半弾性部材の断面は、巻き上げ又はループ形成で滑らかな形状を容易に形成するため、及び、拡張器の持ち上げ力を増加させるため変えられてもよい。
【００４３】
なお、これら全ての所謂巻上げ式又はループ式の実施例では、半弾性部材は、完全に又は部分的のいずれで巻き上げられてもよい。これらの実施例は、拡張器の巻き上げられ又はループ形成された部分のいずれかの側上にも組織の領域に接着することができる。両方の形態が、人間のユーザーで問題のある鼻通路を首尾よく拡張するため十分な持ち上げ力を発生させると考えられているからである。更には、巻き上げ式及びループ式の拡張器の中には、ユーザーに、拡張器を操作するためハンドルの形態を提供し、これにより拡張器の正確な整列を促進するものもある。
（その他の種々の考察）
本発明の各実施例では、１つより多い型式、サイズ又は強度（即ち、持ち上げ力）の拡張器を、ユニットに利用可能に作ることができる。加えて、本発明の拡張器用の分配器は、様々な皮膚の状態に対して設計された様々な接着剤裏塗り式の拡張器（例えば、比較的弱い接着剤から比較的強い接着剤まで）を分配するように構成されてもよい。
（ディスクカレンダー）
本明細書では記載されていないが、本発明のこの実施例では、壁、ディスク又は他の表面に取り付け式の「１日」カレンダーが、日付け及び他のコピー、画像又はアイコン（例えば漫画）のみならず、拡張器も組み込んでいる。そのようなカレンダーは、毎日分に付着された拡張器を持つ必要はなく、各々の個々の拡張器は、他の拡張器と同じであっても又は異なっていてもよい（例えば、季節のテーマ又は他のモチーフ等の異なる香り）。対象者が、適切な時期又は要求時に１又は２ヶ月のカレンダー／拡張器の組み合わせを受け取るように、予約購読で販売されていてもよい（ベースとなるカレンダーの分配器のために仕上げられ統合化され若しくは補充の形態）。
【図面の簡単な説明】
【００４４】
【図１】図１ａ及び図１ｂは、各拡張器ユニットが、両シート材料の間に形成されたポケット内に維持される、拡張器のための２つの従来技術のパッケージングを示す。
【図２】図２ａ及び図２ｂは、本発明の実施例を表し、拡張器のパッケージングが、類似の複数の拡張器を収容するため間に形成された複数のポケットを有する細長いシート内に形成されている。
【図３】図３ａ、３ｂ及び３ｃは、複数の拡張器の幾つかの実施例を表し、各々が、個々の配置位置を有し、単一のシートだけが拡張器を使用前に適所に保持するため使用される。
【図４】図４ａ、４ｂ、４ｃ、４ｄ及び４ｅは、拡張器の関連する実施例のファミリーを各々表しており、これらのファミリーは、スプリングに対向して形成された取り外しスロットを有するスプリング付勢式パッケージと、摺動カバーを有するスプリング付勢式「ポップアップ」パッケージと、拡張器が配置されている材料のＺ字折り畳みシートで使用するためのパッケージと、複数の拡張器が共通のフレーム部材から各々吊り下げられ、拡張器にアクセスするためユーザーが単にパッケージから一つを引き裂く、パッケージと、反対にしたとき、拡張器が、拡張器用のパッケージ内に形成されたアパーチャを通して手で容易にアクセス可能である、引き出し式パッケージと、を含んでいる。
【図５】図５は、シーチングがスロットを通過し、拡張器がユーザーに手でアクセス可能であるとき、作動中にシーチングから分離される、一方の側部上に配置された一連の拡張器を有するシーチングの巻物を表す斜視図である。
【図６】図６ａ、６ｂ及び６ｃは、特別に構成された分配器のための各拡張器用のポケットを形成するため好ましくはコールドシールされた２つのシート材料から構成された巻物の図と、該巻物の材料の図と、拡張器が分配器から各々現れるとき、コールドシールされたシートが如何に拡張器から分離されるかを示した図と、を表す。
【図７】図７a、７ｂ、７ｃ、７ｄ、７ｅ及び７ｆは、複数の拡張器を保持し保護するための保護分配器パッケージ（図７ａにはカバー無しで示される）と、複数の拡張器が、共通のポスト又はピンにより保持され、それらが使用されるまで一緒のままである分配器と、複数の拡張器を保持するようにサイズが定められたカップ部材と、拡張器が（コンテナを振ることにより）手で引き出され又はイジェクトされるところの、一端部に形成されたスロットを有する細長いコンテナと、拡張器を内部に保持するため結合され又はシールされ得る開放端部を有するソフトパッケージと、拡張器用のヒンジ付き蓋式(又は貝殻式)パッケージと、閉じられたとき事実上係止する摩擦適合ヒンジ付き蓋式コンテナと、を図示する斜視図である。
【図８】図８ａ及び図８ｂは、多角形形状を有する回転式拡張器用の分配器の２つの実施例を表し、各拡張器が該多角形形状の略平坦部分上に配置されている。
【図９】図９は、２つの回転式スプールを有するカセット式拡張器用分配器の平面図であり、第１のスプールがそれに連結された拡張器を有し、他方が、単一の輸送器ベルト部材を回収し、それにより単一の拡張器が挿入されたユーザーの鼻と直接接触するため分配器の切り抜き部分に亘って吊り下げられている。
【図１０】図１０は、切り抜き部分に亘って吊り下げられた単一の拡張器を示す、図９のライン１０−１０に沿って取られた立面図である。
【図１１】図１１は、別の拡張器用分配器の斜視図である。
【図１２】図１２は、拡張器用分配器の使用中の図である。
【図１ａ】
2005515123.tif 000003
【図１ｂ】
2005515123.tif 000004
【図２ａ】
2005515123.tif 000005
【図２ｂ】
2005515123.tif 000006
【図３ａ】
2005515123.tif 000007
【図３ａ】
2005515123.tif 000008
【図３ｂ】
2005515123.tif 000009
【図４ａ】
2005515123.tif 000010
【図４ｂ】
2005515123.tif 000011
【図４ｃ】
2005515123.tif 000012
【図４ｄ】
2005515123.tif 000013
【図４ｅ】
2005515123.tif 000014
【図５】
2005515123.tif 000015
【図６ａ】
2005515123.tif 000016
【図６ｂ】
2005515123.tif 000017
【図６ｃ】
2005515123.tif 000018
【図６ｄ】
2005515123.tif 000019
【図７ａ】
2005515123.tif 000020
【図７ｂ】
2005515123.tif 000021
【図７ｃ】
2005515123.tif 000022
【図７ｄ】
2005515123.tif 000023
【図７ｅ】
2005515123.tif 000024
【図７ｆ】
2005515123.tif 000025
【図８ａ】
2005515123.tif 000026
【図８ｂ】
2005515123.tif 000027
【図９】
2005515123.tif 000028
【図１０】
2005515123.tif 000029
【図１１】
2005515123.tif 000030
【図１２】
2005515123.tif 000031
【国際調査報告】
2005515123.tif 000032